(57)【要約】【課題】顧客が利用したい電子マネーの種類を、より早く、簡単に選択可能とし、使い勝手の向上をはかる。【解決手段】決済に用いる電子マネーの種類を顧客に選択させる操作部と、この選択部により選択操作される毎に決済可能な電子マネーの種類を順次切り替え、対応する決済処理プログラムを実行して決済処理を行う制御部１３とを備えた電子マネー決済装置であって、制御部１３は、決済に使用される電子マネーの種類毎の利用頻度を監視して第１の利用頻度順位情報（記憶部１２の作業データ記憶領域１２ｂに記憶）を生成し、操作部２が操作されたときの電子マネーの種類を、第１の利用頻度順位情報にしたがい切り替える。【選択図】図２
2012133566.tif 000002
【特許請求の範囲】
【請求項１】
電子マネー記憶媒体と非接触で通信が可能な非接触リーダライタと、前記電子マネー記憶媒体に記憶されている複数の電子マネーによるサービスに対応した複数の決済処理プログラムを記憶した記憶部と、決済に用いる電子マネーの種類を顧客に選択させる操作部と、この選択部により選択操作される毎に決済可能な電子マネーの種類を順次切り替え、対応する決済処理プログラムを実行して決済処理を行う制御部とを備えた電子マネー決済装置であって、
前記制御部は、
前記決済に使用される前記電子マネーの種類毎の利用頻度を監視して第１の利用頻度順位情報を生成し、前記操作部が操作されたときの前記電子マネーの種類を、前記第１の利用頻度順位情報にしたがい切り替えることを特徴とする電子マネー決済装置。
【請求項２】
前記制御部は、
前記非接触リーダライタにより種類の異なる複数の電子マネーが検出された場合、前記生成された第１の利用頻度順位情報の中で前記検出された電子マネーの種類についてのみ切り替えることを特徴とする請求項１記載の電子マネー決済装置。
【請求項３】
前記制御部は、
前記非接触リーダライタにより種類の異なる複数の電子マネーが検出された場合、前記検出された電子マネーの種類に限定して第２の利用頻度順位情報を生成し、前記操作部が操作されたときの前記電子マネーの種類を、前記第２の利用頻度順位情報にしたがい切り替えることを特徴とする請求項１記載の電子マネー決済装置。
【請求項４】
前記制御部は、
前記非接触リーダライタにより種類の異なる複数の電子マネーが検出された場合、更に検出されるそれぞれの電子マネーの残高情報に基づき決済が可能な電子マネーの種類を判別し、前記決済が可能と判別された電子マネーの種類に限定して第３の利用頻度順位情報を生成し、前記操作部が操作されたときの前記電子マネーの種類を、前記第３の利用頻度順位情報にしたがい切り替えることを特徴とする請求項１記載の電子マネー決済装置。
【請求項５】
前記制御部は、
前記決済に使用される前記電子マネーの種類毎の利用頻度を監視し、前記生成される前記第１、前記第２、前記第３の利用頻度順位情報を所定の期間毎に更新することを特徴とする請求項１〜４のいずれか１項記載の電子マネー決済装置。
【発明の詳細な説明】
【技術分野】
【０００１】
本発明は、複数種類の電子マネーを決済可能な電子マネー決済装置に関する。
【背景技術】
【０００２】
従来、自動販売機等の無人機には、非接触ＩＣカードや携帯電話機等の記憶端末に保持された電子マネーを決済する電子マネー決済装置が搭載されている。このような電子マネー決済装置は、例えば、自動販売機が内蔵する主制御部に接続され、主制御部から金額情報を含む決済指令を受信すると、電子マネーを保持した記憶端末と通信を行い、所望の決済処理を実行する。
【０００３】
このような電子マネー決済装置には、例えば、Ｅｄｙ（登録商標）、ＷＡＯＮ（登録商標），ｎａｎａｃｏ（登録商標）等、種類が異なる複数の電子マネーを決済することが出来るものがある。
【０００４】
例えば、特許文献１には、上記した種類の異なる複数の電子マネーを決済することが出来る電子マネー決済装置のカードかざし部が開示されている。図８は、特許文献１に開示された従来の電子マネー決済装置のかざし部の斜視図である。また、図９は、図８に示す電子マネー決済装置１０を自動販売機１００に搭載した状態を示す図である。
【０００５】
図８の電子マネー決済装置１０のかざし部には、前面に非接触ＩＣカード等の電子マネー媒体と通信をするためのアンテナが配設された検出部４０を備え、その上方には、３個の電子マネー選択釦２０が設けられている。３個の電子マネー選択釦２０は、電子マネーの種類を選択する釦である。３個の電子マネー選択釦２０の上方には液晶ディスプレイからなる表示部３０が設けられており、この表示部３０には、操作案内や決済する電子マネーの名称（種類）や使用者が所有する電子マネーの残高等の情報が表示される。
【０００６】
また、検出部４０のＬＥＤ（Light Emitted Diode）からなる発光部５０が略放射状に設けられており、この４個の発光部５０は、商品を購入する際に点灯又は点滅し、顧客が所持する非接触ＩＣカードを検出部４０の位置に誘導する。また、前面パネルの右下に状態表示ランプ６０が設けられている。この状態表示ランプ６０は、発光する色の種類を変え、これらを点灯又は点滅することで、使用者や管理者に対して稼動状態を知らせることができる。
【０００７】
このような電子マネー決済装置１０は、３個の電子マネー選択釦２０にそれぞれ１つの種類の異なる電子マネーを割り当て、電子マネーの種類を顧客により直接選択可能なように設定されている。この電子マネー選択釦２０が押されると、装置内の記憶部に記憶された種類別の電子マネーを決済するアプリケーションプログラムが起動され、決済可能な状態になる。また、利用できる電子マネーの種類が４以上の場合は、１個の電子マネー選択釦に複数の種類の電子マネーを割り当て、釦を押す度に電子マネーの種類を切り替えるように設定されていた。このとき、電子マネー選択釦により切り替えられる電子マネーの順番は初期に設定された順番になっている。
【０００８】
なお、上記した複数の電子マネーを決済出来る電子マネー決済装置１０は、例えば、特許文献２に開示されているように、決済する電子マネーの種類に対応する複数の電子マネー決済プログラム（アプリケーションプログラム）が予め電子マネー決済装置１０の記憶部に記憶されており、電子マネー選択釦の押下により選択された電子マネーのプログラムが起動されることによって決済が可能になる。
【先行技術文献】
【特許文献】
【０００９】
【特許文献１】意匠登録１３９１８６５号公報
【特許文献２】特開２００６−３０１７８０号公報
【発明の概要】
【発明が解決しようとする課題】
【００１０】
ところで、一般に、電子マネー決済装置の電子マネー選択釦の数よりも利用出来る電子マネーの種類が多い場合、顧客は、一個の電子マネー選択釦を繰り返し押す操作が必要であるため煩わしく、また、電子マネー選択釦を繰り返し操作するのに時間を要するため、使い勝手が悪かった。
【００１１】
本発明は、このような事情に鑑み、顧客が利用したい電子マネーの種類を、より早く、簡単に選択可能とし、使い勝手の向上をはかった電子マネー決済装置を提供することを目的とする。
【課題を解決するための手段】
【００１２】
上記課題を解決するための本発明は、電子マネー記憶媒体と非接触で通信が可能な非接触リーダライタと、電子マネー記憶媒体に記憶されている複数の電子マネーによるサービスに対応した複数の決済処理プログラムを記憶した記憶部と、決済に用いる電子マネーの種類を顧客に選択させる操作部と、この選択部により選択操作される毎に決済可能な電子マネーの種類を順次切り替え、対応する決済処理プログラムを実行して決済処理を行う制御部とを備えた電子マネー決済装置であって、制御部は、決済に使用される電子マネーの種類毎の利用頻度を監視して第１の利用頻度順位情報を生成し、操作部が操作されたときの電子マネーの種類を、第１の利用頻度順位情報にしたがい切り替えることを特徴とする。
【００１３】
かかる構成によれば、制御部により、操作部が操作されたときに切り替わる電子マネーの種類が利用頻度の高い電子マネーの種類が優先的に切り替わるように制御される。したがって、利用頻度の高い電子マネーを所持している顧客ほど電子マネーの種類を選択操作する回数が減少し、利用したい電子マネーの種類をより早く、簡単に選択可能になり、このため、使い勝手が向上する。
【００１４】
制御部は、非接触リーダライタにより種類の異なる複数の電子マネーが検出された場合、生成された第１の利用頻度順位情報の中で検出された電子マネーの種類についてのみ切り替えるように制御してもよい。
【００１５】
かかる構成によれば、生成された第１の利用頻度順位情報の中で検出された電子マネーの種類に限定され切り替わることにより、顧客が所持していない電子マネーの選択操作が回避されるため、一層の使い勝手向上がはかれる。
【００１６】
制御部は、非接触リーダライタにより種類の異なる複数の電子マネーが検出された場合、検出された電子マネーの種類に限定して第２の利用頻度順位情報を生成し、操作部が操作されたときの電子マネーの種類を、第２の利用頻度順位情報にしたがい切り替えるように制御してもよい。
【００１７】
かかる構成によれば、検出された電子マネーの種類に限定して生成された第２の利用頻度順位情報にしたがい電子マネーの種類が切り替わることにより、顧客が所持していない電子マネーの選択操作が回避されるため、一層の使い勝手向上がはかれる。
【００１８】
制御部は、非接触リーダライタにより種類の異なる複数の電子マネーが検出された場合、更に検出されるそれぞれの電子マネーの残高情報に基づき決済が可能な電子マネーの種類を判別し、決済が可能と判別された電子マネーの種類に限定して第３の利用頻度順位情報を生成し、操作部が操作されたときの電子マネーの種類を、第３の利用頻度順位情報にしたがい切り替えるように制御してもよい。
【００１９】
かかる構成によれば、生成された第３の利用頻度順位情報に基づき決済が可能と判別された電子マネーの種類に限定して切り替わることにより、決済できない無駄な電子マネーの選択操作が回避されるため一層の使い勝手の向上がはかれる。
【００２０】
制御部は、決済に使用される電子マネーの種類毎の利用頻度を監視し、生成される第１、第２、第３の利用頻度順位情報を所定の期間毎に更新するように制御してもよい。
【００２１】
かかる構成によれば、利用頻度順位情報が所定の期間毎に更新されるため、顧客は、最新の利用頻度順位情報にしたがい、利用したい電子マネーの種類をより早く簡単に選択可能になる。
【発明の効果】
【００２２】
本発明の電子マネー決済装置によれば、顧客が利用したい電子マネーの種類を、より早く、簡単に選択可能になるため、使い勝手の向上がはかれる。
【図面の簡単な説明】
【００２３】
【図１】本発明に係る電子マネー決済装置の外観構造を示す図である。
【図２】本発明に係る電子マネー決済装置の実施形態を示すブロック図である。
【図３】本発明の実施形態の基本動作を示すフローチャートである。
【図４】図３における電子マネー決定処理の詳細手順を示す図である。
【図５】図４の続きを示すフローチャートである。
【図６】図３における「電子決済」処理細手順の詳細を示す図である。
【図７】図３における「利用頻度順位情報更新」処理手順の詳細を示す図である。
【図８】従来の電子マネー決済装置の外観構造を示す図である。
【図９】従来の電子マネー決済装置を自動販売機へ搭載した状態を示す図である。
【発明を実施するための形態】
【００２４】
以下、漆付図面を参照して本発明を実施するための実施の形態（以下、単に本実施形態という）について詳細に説明する。
【００２５】
（実施形態の構成）
図１は、本実施形態に係る電子マネー決済装置の外観構造を示す図である。図１によれば、電子マネー決済装置１のかざし部には、前面に、非接触ＩＣカード等の電子マネー記憶媒体（図２の７）と通信をするためのアンテナが配設された検出部４を備え、その上方には、１個の電子マネー選択釦２が設けられている。この電子マネー選択釦２は、電子マネーの種類を選択する釦である。この電子マネー選択釦２の上方には液晶ディスプレイからなる表示部３が設けられており、この表示部３には、操作案内や決済する電子マネーの名称（種類）や使用者が所有する電子マネーの残高等の情報が表示される。
【００２６】
また、検出部４のＬＥＤからなる発光部５が略放射状に設けられており、この４個の発光部５は、商品を購入する際に点灯又は点滅し、顧客が所持する非接触ＩＣカードを検出部４の位置に誘導する。また、前面パネルの右下に状態表示ランプ６が設けられている。この状態表示ランプ６は、発光する色の種類を変え、これらを点灯又は点滅することで、使用者や管理者に対し、電子マネー決済装置１の稼動状態を知らせることができる。
【００２７】
このような電子マネー決済装置１は、１個の電子マネー選択釦２に複数の種類の電子マネーを割り当て、釦を押す度に電子マネーの種類を切り替えるように設定されている。この電子マネー選択釦２が押されると、装置内の記憶部（図２の１５参照）に記憶された種類別の電子マネーを決済するアプリケーションプログラムが起動され、決済可能な状態になる。
【００２８】
図２は、本実施形態に係る電子マネー決済装置の構成を示すブロック図である。ここに示す電子マネー決済装置１は、タイプＡ、タイプＢ、タイプＣ、タイプＤ、タイプＥの５種類の電子マネーの決済が可能な装置である。電子マネー決済装置１は、図１に示した電子マネー選択釦２と、表示部３の他に、非接触リーダライタ部１１と、記憶部１２と、制御部１３と、通信部１４とを含み、構成される。
【００２９】
非接触リーダライタ部１１は、非接触ＩＣカードや携帯電話機等に内蔵される非接触ＩＣチップ等、電子マネー記憶媒体７が、電子マネー決済装置１のかざし部にかざされると、電子マネー記憶媒体７は、電子マネー決済装置１（制御部１３）との間で通信を行ない、電子マネー記憶媒体７に記憶された電子的価値情報である電子マネーの値を書き換える。このため、非接触リーダライタ部１１は、アンテナ１１１と、通信モジュール１１２と、インタフェース（Ｉ／Ｆ）回路１１３とにより構成される。
【００３０】
周知のように、アンテナ１１１は、電子マネー記憶媒体７との間で電力およびデータを非接触で伝播させ、通信モジュール１１２は、電子マネー記憶媒体７をアクセスしてデータをリードライトするための変復調回路であり、Ｉ／Ｆ回路１１３は、電子マネー記憶媒体７と制御部１３との間を伝播するデータのインタフェースを担う。
【００３１】
記憶部１２には、アプリケーション記憶領域１２ａと、作業データ記憶領域１４ｂとが割り当てられ、これら記憶領域１２ａ、１２ｂのそれぞれには、プログラム乃至各種データが記憶される。具体的に、アプリケーション記憶領域１２ａには、上記した５種類の電子マネーを決済するための、タイプＡ〜タイプＥのそれぞれのアプリケーションプログラムが記憶されている。また、作業データ記憶領域１２ｂには、制御部１３により生成される、決済履歴情報１２０、および利用頻度順位情報１２１が記憶される。ここで、決済履歴情報１２０とは、電子マネー決済装置１で利用可能な電子マネー毎の決済数（実績値）であり、利用頻度順位情報１２１とは、決済数の多い順に電子マネーの種類を並べ替えた順番情報のことである。
【００３２】
制御部１３は、不図示の自動販売機の主制御部と接続されており、主制御部から金額情報を含む決済要求を受信すると電子マネーの決済処理を実行する。また、不図示の外部に設置された電子マネー管理サーバとは、通信部１４、および不図示の通信回線を経由して接続されている。制御部１３は、記憶部１２のアプリケーション記憶領域１２ａに記憶された各電子マネーのアプリケーションプログラムを起動することにより、以下に説明する決済処理を実行する。ここで、制御部１３が一度に起動できるアプリケーションプログラムは一つである。したがって、例えば、タイプＡのアプリケーションプログラムを起動した状態では、タイプＡの電子マネーのみを検出できるようになり、タイプＡの電子マネーのみ決済できる。換言すれば、タイプＡのアプリケーションプログラムの起動時には、タイプＢ〜タイプＥのアプリケーションプログラムを検出できないし、決済も出来ない。
【００３３】
制御部１３は、決済に使用される電子マネーの種類毎の利用頻度を監視して利用頻度順位情報１２１を生成し、操作部としての電子マネー選択釦２が操作されたときの電子マネーの種類を、生成された利用頻度順位情報１２１にしたがい切り替える制御も行う。すなわち、制御部１３は、決済に使用される電子マネーの種類毎の決済数を、決済の都度、計数して監視することにより、記憶部１２の作業データ記憶領域１２ｂに記憶される決済数を利用履歴情報１２０として更新し、決済数の多い順に電子マネーの種類を並べ替えた利用頻度順位情報１２１を生成して作業データ記憶領域１２ｂの所定の領域に記憶する。
【００３４】
なお、電子マネー選択釦２は、決済に用いる電子マネーの種類を顧客に選択させる操作部として機能し、ここでは、電子マネー選択釦２を押す毎に、５種類の電子マネーのアプリケーションプログラムが切り替わる。また、液晶ディスプレイからなる表示部３は、起動中の電子マネーのタイプを表示する他、案内等を表示する。
【００３５】
（実施形態の動作）
図２に示す本実施形態に係る電子マネー決済装置１の動作について、図３〜図７のフローチャートを参照しながら詳細に説明する。
【００３６】
まず、図３のフローチャートで示す基本動作手順から説明する。本実施形態に係る電子マネー決済装置１（制御部１３）は、自動販売機の主制御からの決済指令を持つ待機状態にあるものとして説明する。図３において、電子マネー決済装置１が外部から代金情報を含む決済指令を受信すると（ステップＳ１０“ＹＥＳ）、制御部１３は、決済に用いる電子マネー決定処理を実行する（ステップＳ２０）。電子マネー決定処理の詳細は、図４、図５を参照して後述する。
【００３７】
ステップＳ２０で電子マネーの種類が決定されると、制御部１３は、電子マネーの決済処理を実行し（ステップＳ３０）、決済した電子マネーの決済処理の実行履歴（決済回数）を電子マネーの種類別に計数して監視を行い、電子マネー選択釦３を押した時に切り替わる、電子マネー決済装置１で利用可能な電子マネーの種類の順番を決定するための利用頻度順位更新処理を実行して待機状態に戻る（ステップＳ４０）。各処理ステップの詳細はいずれも後述する。
【００３８】
図４、図５のフローチャートを参照しながら、図３に示したステップＳ２０の「電子マネー決定処理」について詳細に説明する。
【００３９】
本実施形態に係る電子マネー決済装置１は、自動販売機の主制御部から決済指令を受信することにより動作する。まず、制御部１３は、タイマーＴ１をスタートさせる（ステップＳ２０１）。タイマーＴ１が動いている間、顧客は、電子マネー決済装置１の操作や決済を実行することができる。次に、制御部１３は、タイプＡからタイプＥの電子マネーのアプリケーションプログラムを所定の時間毎に順次起動し、タイプＡからタイプＥの全ての種類の電子マネーの何れをも検出できる状態に設定する（ステップＳ２０２）。ここで、電子マネー選択釦２を押した時に切り替わる電子マネー決済装置１で利用可能な電子マネーの種類の順番、所謂、利用頻度順位情報は、デフォルトで設定されているものを使用する。
【００４０】
ここで、電子マネー選択釦２が押下されると（ステップＳ２０３“ＹＥＳ”）、制御部１３は、記憶部１２の作業データ記憶領域１２ｂにデフォルトで設定されている利用頻度順位情報１２１にしたがい最優先の電子マネーに対応するアプリケーションプログラムを起動する（ステップＳ２０４）。このとき、起動されるアプリケーションプログラムの種類は表示部３に表示される。次に、制御部１３は、起動中のアプリケーションプログラムで決済可能な電子マネーを検出すると（ステップＳ２０５“ＹＥＳ”）、タイマーＴ１をリセットして（ステップＳ２１２）、次に決済する電子マネーの種類を決定する（ステップＳ２１３）。
【００４１】
一方ステップＳ２０５の「電子マネー検出処理」で、決済可能な電子マネーを検出できなかった場合（ステップＳ２０５“ＮＯ”）、制御部１３は、電子マネー選択釦２が押下されたか否かを判定する（ステップＳ２０６）。ここで電子マネーの選択釦２が押下された場合（ステップＳ２０６“ＹＥＳ”）、制御部１３は、記憶部１２の作業データ記憶領域１２ｂの利用頻度順位情報１２１に記憶された電子マネーの順番に基づき、次に優先すべき電子マネーのアプリケーションプログラムを起動する（ステップＳ２０７）。
【００４２】
このアプリケーションプログラムの起動後、あるいはステップＳ２０６の「電子マネー選択釦の押下判定処理」で、電子マネー選択釦２の押下が検出されなかった場合（ステップＳ２０６“ＮＯ”）、制御部１３は、タイマーＴ１が満了（タイムアウト）したか否かを判定する（ステップＳ２０８）。ここで、タイムアウトを検出すると（ステップＳ２０８“ＹＥＳ”）、制御部１３は、タイマーＴ１をリセットして（ステップＳ２０９）、代金未受理であると決定し（ステップＳ２１０）、この代金未受理の結果を、自動販売機の主制御部へ通知して待機状態に戻る（ステップＳ２１１）。なお、制御部１３と自動販売機の主制御部との通信は、有線の通信回線により、例えば、ＪＶＭＡ／ＶＣＣＳ通信仕様に準拠して行われる。
【００４３】
一方、ステップＳ２０８の「タイマー満了判定処理」で、タイマーＴ１が未だタイムアウトしていない場合は（ステップＳ２０８“ＮＯ”）、ステップＳ２０５の「決済可能な電子マネー検知処理」に戻る。
【００４４】
このように、本実施形態に係る電子マネー決済装置１によれば、制御部１３は、ステップＳ２０１〜Ｓ２１３の処理を実行することにより、電子マネー記憶媒体７が、かざし部にかざされていない状態で、電子マネー選択釦２が押下された場合に、記憶部１２の作業データ記憶領域１２ｂに利用頻度順位情報１２１として記憶された第１の利用頻度順位情報に基づき、決済する電子マネーの種類を切り替え、対応するアプリケーションプログラムを都度起動するための制御を実行する。このため、電子マネー選択釦２が操作されたときに切り替わる電子マネーの種類が、利用頻度の高い電子マネーの種類が優先的に切り替わるように制御される。したがって、利用頻度の高い電子マネーを所持している顧客ほど電子マネーの種類を選択操作する回数が減少し、利用したい電子マネーの種類をより早く、簡単に選択可能になり、このため使い勝手が向上し、顧客に利便性を提供することができる。
【００４５】
一方、ステップ２０３の「電子マネー選択押下判定処理」で、電子マネー選択釦２が押下されていないと判定された場合（ステップＳ２０３“ＮＯ）、主制御部１３は、顧客が電子マネー決済装置１のかざし部に電子マネー記憶媒体７をかざしたことによる電子マネーを検出したか否かを判定する（図５のステップＳ２１４）。ここで、顧客が、電子マネー選択釦２を押す前に電子マネー記憶媒体７をかざしたことによりその電子マネーが検出された場合（ステップＳ２１４”ＹＥＳ“）、制御部１３は、引き続き検出された電子マネーが複数種類あるか否かを判定する（ステップＳ２１５）。ここで、複数種類の電子マネーが検出されなかった場合（ステップＳ２１５”ＮＯ“）、すなわち、１種類の電子マネーのみ検出された場合は、ステップＳ２１２の「タイマーＴ１リセット処理」へ進む。
【００４６】
なお、ステップＳ２１４の「電子マネー検出処理」で、電子マネーが検出されなかった場合（ステップＳ２１４“ＮＯ”）、制御部１３は、タイマーＴ１が満了したか否かを判定する（ステップＳ２２６）。ここで、タイムアウトを検出すると（ステップＳ２２６“ＹＥＳ”）、制御部１３は、タイマーＴ１をリセットして（ステップＳ２２７）、代金未受理であると決定し（ステップＳ２２８）、この代金未受理の結果を、自動販売機の主制御部へ通知して待機状態に戻る（ステップＳ２２９）。
【００４７】
一方、ステップＳ２１５の「複数の電子マネー検出処理」で複数の電子マネーが検出された場合（ステップＳ２１５“ＹＥＳ”）、制御部１３は、決済数に基づく電子マネーの決済履歴から、先に検出された電子マネーの種類に限定して第２の利用頻度順位を決定する（ステップＳ２１６）。
【００４８】
続いて制御部１３は、電子マネー選択釦２が押下されたか否かを判定し（ステップＳ２１７）、電子マネー選択釦３が押下されたことを検出すると（ステップＳ２１７“ＹＥＳ”）、制御部１３は、ステップＳ２１６の「利用頻度順位再決定処理」で決定され、記憶部１２の作業データ記憶領域１２ｂに利用頻度順位情報１２１として記憶された第２の利用頻度順位情報に基づき、最優先の電子マネーから対応するアプリケーションプログラムを起動する（ステップＳ２１８）。電子マネー選択釦３の押下が検出されなかった場合（ステップ２１７“ＮＯ”）は、ステップ２３０の「タイマー満了判定処理」に進む。
【００４９】
次に、制御部１３は、タイムアウトを検出すると（ステップＳ２３０“ＹＥＳ”）、タイマーＴ１をリセットして（ステップＳ２３１）、代金未受理であると決定し（ステップＳ２３２）、この代金未受理の結果を、自動販売機の主制御部へ通知して待機状態に戻る（ステップＳ２３３）。
【００５０】
制御部１３は、ステップＳ２１８の「最優先のアプリ起動処理」の後、決済可能な電子マネーを検出すると（ステップＳ２１９“ＹＥＳ”）、図４のステップＳ２１２の「タイマーＴ１リセット処理」に進む。一方、決済可能な電子マネーが検出されなかった場合（ステップＳ２１９“ＮＯ”）、制御部１３は、引き続き、電子マネー選択釦２の押下判定を行い（ステップＳ２２０）、電子マネー選択釦２が押下されたことを検出すると（ステップＳ２２０“ＹＥＳ”）、ステップＳ２１６の「利用頻度順位再決定処理」で決定され、記憶部１２の作業データ記憶領域１２ｂに利用頻度順位情報１２１として記憶された第２の利用頻度順位情報に基づき、次に優先される電子マネーに対応するアプリケーションプログラムを起動する（ステップＳ２２１）。
【００５１】
上記のアプリケーションプログラム起動後、又はステップＳ２２０の「電子マネー選択釦押下判定処理」で、電子マネー選択釦２の押下が検出されなかった場合（ステップＳ２２０“ＮＯ”）、制御部１３は、タイマーＴ１の満了判定を行なう（ステップＳ２２２）。ここで、タイムアウトを検出すると（ステップＳ２２２“ＹＥＳ”）、制御部１３は、タイマーＴ１をリセットして（ステップＳ２２３）、代金未受理であると決定し（ステップＳ２２４）、この代金未受理の結果を、自動販売機の主制御部へ通知して待機状態に戻る（ステップＳ２２５）。
【００５２】
このように、電子マネー決済装置１が自動販売機の主制御部から決済指令を受信した状態で、複数種類の異なる電子マネーを読み取った場合、換言すれば、複数の電子マネー記憶媒体７が重ねてかざされた場合や、複数の電子マネーを保持する携帯電話がかざされた場合に、制御部１３は、ステップＳ２１４〜Ｓ２３３を実行する。このとき、読み取った電子マネーの種類中で決済数が多い利用頻度情報に基づき第２の利用頻度順位情報を生成して記憶部１２の作業データ記憶領域１２ｂに記憶し、この第２の利用頻度順位情報に基づき、電子マネー選択釦２が押下されたときに電子マネーの種類を切り替え、都度、対応するアプリケーションプログラムの起動を制御する。したがって、検出された電子マネーの種類に限定して生成された第２の利用頻度順位情報にしたがい電子マネーの種類が切り替われ、このことにより、顧客が所持していない電子マネーの選択操作が回避されるため、一層の使い勝手向上がはかれ、顧客に利便性を提供することができる。
【００５３】
なお、ステップＳ２１６の「利用頻度順位情報再決定処理」において、制御部１３は、決済数に基づく電子マネーの決済履歴から、先に検出された電子マネーの種類に限定して第２の利用頻度順位を決定したが、図４のステップＳ２０７で処理された、決済数に基づく電子マネーの決済履歴から生成される第１の利用頻度順位情報の中で検出された電子マネーの種類についてのみ限定してよい。この場合も上記同様、生成された第１の利用頻度順位情報の中で検出された電子マネーの種類に限定され切り替わることにより、顧客が所持していない電子マネーの選択操作が回避されるため、一層、使い勝手の向上がはかれる。
【００５４】
また、制御部１３が、読み取った電子マネーの種類の中で決済可能な残高を有する電子マネーに限定して、決済履歴から第３の利用頻度順位情報を生成して記憶部１２の作業データ記憶領域１２ｂに利用頻度順位情報１２１として記憶し、記憶された第３の利用頻度順位情報が示す順番に基づき、電子マネー選択釦２が押下されたときに電子マネーの種類を切り替えるようにアプリケーションプログラムの起動を制御してもよい。この場合、生成された第３の利用頻度順位情報に基づき決済が可能と判別された電子マネーの種類に限定して順番が切り替わることにより、決済できない無駄な電子マネーの選択操作が回避されるため、一層の使い勝手の向上がはかれ、顧客に利便性を提供できる。
【００５５】
次に、図６のフローチャートを参照しながら、図３に示すステップＳ３０の「電子決済処理」について詳細な説明を行う。
【００５６】
図６において、制御部１３は、まず、起動したアプリケーションプログラムにしたがい、電子マネー記憶媒体７に記憶された電子マネーから代金を差し引く決済処理を実行する（ステップＳ３０１）。そしてその処理が完了すると（ステップＳ３０２“ＹＥＳ”）、決済が完了したことを自動販売機の主制御部へ通知して処理を終了する（ステップＳ３０３）。
【００５７】
決済処理が実行出来なかった場合（ステップＳ３０２“ＮＯ”）、制御部１３は、決済処理を停止して（ステップＳ３０４）、代金が受理出来なかったことを自動販売機の主制御部へ通知して処理を終了する（ステップＳ３０３）。
【００５８】
次に、図７のフローチャートを参照しながら、図３のステップＳ４０の「利用頻度順位情報更新処理」について詳細説明を行う。ここでは、２つ例示し、図７（ａ）（ｂ）として、それぞれ示している。
【００５９】
図７（ａ）によれば、図６に示す「電子決済処理」が終了すると、制御部１３は、その決済に使用された電子マネーに割り付けられたカウンタを＋１加算し（ステップＳ４０１）、都度、記憶部１２の作業データ記憶領域１２ｂに割り当て記憶されている利用履歴情報１２０を更新する（ステップＳ４０１）。ここで、「カウンタ」とは、本実施形態に係る電子マネー決済装置１で決済可能な電子マネー毎、決済の履歴を監視するために割り付けられるカウンタであり、このカウンタによってカウントされる値が利用履歴情報として示される決済数である。
【００６０】
次に、制御部１３は、電子マネーの種類毎その決済数を比較し、決済数が多い順に電子マネーの種類を並べ替えて利用頻度順位情報１２１を生成し（ステップＳ４０３）、記憶部１２の作業データ記憶領域１２ｂに記憶して待機状態に戻る。なお、この利用頻度順位情報には、決済可能な電子マネーの種類のうち、決済数が多い順に並べられた第１の利用頻度順位情報、非接触リーダライタ１部１１で検出された種類が異なる複数の電子マネーに限定して決済数が多い順に並べられた第２の利用頻度順位情報、電子マネーの残高情報に基づき決済が可能な電子マネーに限定して決済数が多い順に並べられた第３の利用頻度順位情報があることは上記したとおりであって、そのいずれを使用してもよい。
【００６１】
図７（ｂ）は、所定の期間毎に利用頻度順位情報１２１を更新する手順を示す。ここでは、一週間を単位に利用頻度順位情報を更新するものとする。図７（ｂ）において、まず、決済処理が終了すると、その決済に使用された電子マネーに割り付けられたカウンタを＋１加算し（ステップＳ４１１）、都度、記憶部１２の作業データ記憶領域１２ｂに割り当て記憶されている利用履歴情報１２０を更新する（ステップＳ４１２）。
【００６２】
次に、制御部１３は、タイマーにより更新設定時間である１週間が経過したか否かを判定する（ステップＳ４１３）。ここで、１週間経過が判定されると（ステップＳ４１３“ＹＥＳ”）、制御部１３は、電子マネーの種類毎その決済数を比較し、決済数が多い順に電子マネーの種類を並べ替えて利用頻度順位情報１２１を生成し（ステップＳ４１４）、記憶部１２の作業データ記憶領域１２ｂに記憶して待機状態に戻る。未だ１週間経過していなければ（ステップＳ４１４“ＮＯ”）、単に利用履歴情報１２０を更新しただけで処理を終了する。
【００６３】
（実施形態の効果）
以上説明のように、本実施形態に係る電子マネー決済装置１によれば、第１の利用頻度履歴情報にしたがい、電子マネー選択釦２が押下されたときに切り替わる電子マネーの種類が利用頻度の高い電子マネーの種類が優先的に切り替わるように制御されるため、利用頻度の高い電子マネーを所持している顧客ほど電子マネーの種類を選択操作する回数が減少し、利用したい電子マネーの種類をより早く、簡単に選択可能になり、このため、使い勝手が向上する。
【００６４】
また、非接触リーダライタ部１１により種類の異なる複数の電子マネーが検出された場合、その種類に限定して生成される第２の利用履歴順位情報により、又は検出されるそれぞれの電子マネーの残高情報に基づき決済が可能な電子マネーに限定して生成される第３の利用履歴順位情報にしたがい切り替え制御することで、顧客が所持していない、あるいは無効な電子マネーの選択操作が回避されるため、一層、使い勝手の向上がはかれる。
【００６５】
また、決済に使用される電子マネーの種類毎の利用頻度を監視し、生成される第１、第２、第３の利用頻度順位情報を所定の期間毎に更新するように制御してすることで、利用頻度順位情報が所定の期間毎に更新されるため、顧客は、最新の利用頻度順位情報にしたがい、利用したい電子マネーの種類をより早く簡単に選択可能になる。
【００６６】
以上、本実施形態について説明したが、本発明の技術的範囲は上記実施形態に記載の範囲には限定されないことは言うまでもない。上記実施形態に、多様な変更又は改良を加えることが可能であることが当業者に明らかである。またそのような変更又は改良を加えた形態も本発明の技術的範囲に含まれ得ることが、特許請求の範囲の記載から明らかである。
【符号の説明】
【００６７】
１・・電子マネー決済装置、２・・電子マネー選択釦（操作部）、３・・表示部、４・・検出部、５・・発光部、６・・状態表示ランプ、１１・・非接触リーダライタ部、１２・・記憶部、１３・・制御部、１４・・通信部、１２ａ・・アプリケーション記憶領域、１２ｂ・・作業データ記憶領域、１２０・・決済履歴情報、１２１・・利用頻度順位情報
【図１】
2012133566.tif 000003
【図２】
2012133566.tif 000004
【図３】
2012133566.tif 000005
【図４】
2012133566.tif 000006
【図５】
2012133566.tif 000007
【図６】
2012133566.tif 000008
【図７】
2012133566.tif 000009
【図８】
2012133566.tif 000010
【図９】
2012133566.tif 000011